(57)【特許請求の範囲】
【請求項１】
発光チップ及び受光チップを実装し単一のハウジングにより一体化し、外部との電気的接続のための電極端子を備えた光ミニジャック又は光伝送モジュールと、該光ミニジャック又は光伝送モジュールに光ファイバプラグを係合した双方向光伝送デバイスにおいて、前記光ミニジャック又は光伝送モジュールは前記外部との電気的接続のための電極端子であるスルーホール電極を有する一つのベース基板を備え、該ベース基板に発光チップと受光チップとプリズム状の反射部材を一体に形成し、該一体化したベース基板を前記ハウジングに収納すると共に、前記ベース基板の上面において、前記発光チップの発光面と前記受光チップの受光面を対向配置させ、且つ前記両チップ間の略中央部にプリズム状の反射部材を配置して光の方向を変えると同時に、前記発光チップ及び前記受光チップの裏面に金属ブロック又はプラスチックなどよりなるブロックをサブマウントして、該ブロックを放熱性・導電性部材で形成し、前記光ミニジャック又は光伝送モジュールに一芯の光ファイバプラグを係合したことを特徴とする双方向光伝送デバイス。
【請求項２】
前記プリズム状の反射部材は、反射ミラーであり、前記ブロックよりも高くすることによって、前記両チップ間の光の干渉を防ぐ遮光壁の機能を備えたことを特徴とする請求項１記載の双方向光伝送デバイス。
【発明の詳細な説明】
【０００１】
【発明の属する技術分野】
本発明は、光ファイバプラグを光ミニジャック又は光伝送モジュールに係合して通信可能となる双方向光伝送デバイスに係わり、更に詳しくは、一芯の光ファイバを使った光信号をデータ伝送する一芯双方向光伝送デバイスに関する。
【０００２】
【従来の技術】
近年、発光デバイスと受光デバイスをハウジング内に組み合わせたミニジャックやトランシーバ型モジュールが存在している。ミニジャックモジュールはＣＤプレーヤ、ＭＤプレーヤ、ノート型ＰＣなど、また、トランシーバ型モジュールはルーター、モデムステーション、ノート型ＰＣなどの家電機器に使用されている。現在市場にあるこれらの光伝送モジュールは、光ファイバを１本使用し、発光デバイスと受光デバイスを対面させた一芯片方向通信や、光ファイバを２本使用し、送受信モジュールが別個（２個）の二芯双方向通信の構造のものがあり、いずれも大型でリードフレーム型である。小型で、且つ面実装の一芯双方向光伝送モジュールは見当たらない。
【０００３】
図４及び図５は、従来の一般的な二芯の双方向光伝送モジュールの構造を示し、図４は双方向光伝送デバイスの要部断面図である。図５は図４に示す矢印Ａ方向からの説明図である。
【０００４】
図４及び図５において、符号１は光ファイバプラグで、光ファイバプラグ１は、ハウジング部に２本の光ファイバ２ａ、２ｂが収納されている。
【０００５】
符号３は光伝送モジュールで、該光伝送モジュール３は、ハウジング４の内部に発光チップを実装した発光デバイス５と、受光チップを実装した受光デバイス１０とを単一のハウジング４により一体化している。前記発光デバイス５は、３本のリードフレーム６（６ａ、６ｂ、６ｃ）（図５）の表面に発光チップとして発光ダイオード（ＬＥＤ）７又はレーザー（ＬＤ）と、ＬＥＤ７又はＬＤを制御するためのドライブＩＣ８を実装し、リードフレーム６ａ、６ｂ、６ｃとの導通をワイヤで行っている。前記ＬＥＤ７又はＬＤ、ＩＣ８及びワイヤを透光性の封止樹脂９で封止している。
【０００６】
受光デバイス１０は、３本のリードフレーム１１（１１ａ、１１ｂ、１１ｃ）（図５）の表面に光信号を電気信号に変換する機能を有するホトダイオード(ＰＤｉ)と増幅回路を一体化したＩＣ１２を実装し、リードフレーム１１ａ、１１ｂ、１１ｃとの導通をワイヤで行っている。前記ＩＣ１２及びワイヤを透光性の封止樹脂９で封止している。
【０００７】
前記発光側の３本のリードフレーム６ａ、６ｂ、６ｃ及び受光側の３本のリードフレーム１１ａ、１１ｂ、１１ｃは、共に同一平面に並列配置されていて、前記モールド樹脂（ハウジング４）の下面から下方に突出している。
【０００８】
前記発光側の３本のリードフレーム６ａ、６ｂ、６ｃのうち、リードフレーム６ａは信号入力端子、リードフレーム６ｂは電源端子、リードフレーム６ｃは接地端子である。また、受光側の３本のリードフレーム１１ａ、１１ｂ、１１ｃのうち、リードフレーム１１ａは電源端子、リードフレーム１１ｂは接地端子、リードフレーム１１ｃは信号出力端子である。
【０００９】
以上述べた構成により、発光デバイス５側のリードフレーム６ａに電気信号を入力し発光デバイス５内のＩＣ８・ＬＥＤ７により光信号に変換される。ＬＥＤ７から出射された光は、光ファイバプラグ１の光ファイバ２ｂに入射され伝送される。次に、光ファイバ２ａより伝送された光は、受光デバイス１０内のＩＣ１２のホトダイオード部に入射され電気信号に変換されてリードフレーム１１ｃに出射される。
【００１０】
【発明が解決しようとする課題】
しかしながら、前述した双方向光伝送デバイスは、２本の光ファイバを使用しているのでコストアップになる。また、光送信／受信デバイスが別個であり光伝送デバイスの小型化が難しい。更に、光送信／受信デバイスはリードフレームを使用した挿入実装部品であるため実装工数が多くかかるなどの様々な問題がある。
【００１１】
本発明は上記従来の課題に鑑みなされたものであり、その目的は、光送信／受信デバイスを一体化すると同時に、光干渉を防ぎ光入出力を効率良く伝送でき、一芯双方向光伝送を可能にする。面実装タイプによりリフロー対応可能にし、小型で安価な一芯双方向光伝送デバイスを提供するものである。
【００１２】
【課題を解決するための手段】
上記目的を達成するために、本発明における一芯双方向光デバイスは、発光チップ及び受光チップを実装し単一のハウジングにより一体化し、外部との電気的接続のための電極端子を備えた光ミニジャック又は光伝送モジュールと、該光ミニジャック又は光伝送モジュールに光ファイバプラグを係合した双方向光伝送デバイスにおいて、前記光ミニジャック又は光伝送モジュールは前記外部との電気的接続のための電極端子であるスルーホール電極を有する一つのベース基板を備え、該ベース基板に発光チップと受光チップとプリズム状の反射部材を一体に形成し、該一体化したベース基板を前記ハウジングに収納すると共に、前記ベース基板の上面において、前記発光チップの発光面と前記受光チップの受光面を対向配置させ、且つ前記両チップ間の略中央部にプリズム状の反射部材を配置して光の方向を変えると同時に、前記発光チップ及び前記受光チップの裏面に金属ブロック又はプラスチックなどよりなるブロックをサブマウントして、該ブロックを放熱性・導電性部材で形成し、前記光ミニジャック又は光伝送モジュールに一芯の光ファイバプラグを係合したことを特徴とするものである。
【００１３】
また、前記プリズム状の反射部材は、反射ミラーであり、前記ブロックよりも高くすることによって、前記両チップ間の光の干渉を防ぐ遮光壁の機能を備えたことを特徴とするものである。
【００１６】
【発明の実施の形態】
以下、図面に基づいて本発明における双方向光伝送デバイスについて説明する。図１〜図３は、本発明の実施の形態である双方向光伝送デバイスに係わり、図１は、一芯双方向光伝送モジュールの要部断面図、図２は、図１の送受信デバイスの斜視図、図３は、図２要部断面図である。図において、従来技術と同一部材は同一符号で示す。
【００１７】
図１において、光ファイバプラグ１Ａはハウジング部に一芯の、例えばプラスチック材よりなる光ファイバ２が内蔵されている。一方、光ミニジャックモジュール３Ａのハウジング４の内部には、送信デバイスと受信デバイスを一つのベース基板に一体化された送受信デバイス１５が収納されていて、光ファイバ２の先端面と光素子の前面側とは可能な限り近接して配置される。
【００１８】
図１〜図３において、ガラエポ樹脂又はセラミックなどよりなるベース基板１６の側面に、外部との電気的接続のための電極端子である複数個の半円形状をしたスルーホール電極１７が形成されている。前記ベース基板１６の上面側には、後述する対向実装された発光チップ及び受光チップ間の略中央部にプリズム状の反射部材、例えば反射ミラー１８が配置される。
【００１９】
前記ベース基板１６上で反射ミラー１８を挟んで、一方の端部には、発光チップとして発光ダイオード（ＬＥＤ）７又はレーザー（ＬＤ）を実装する。ＬＥＤ７又はＬＤの発光面を垂直に立たせるためにＬＥＤ７又はＬＤの裏面にブロック１９として、例えばプラスチックブロックや金属ブロック（放熱性及び導電性に優れた銅ブロック、メッキ処理）をサブマウントする。同時に前記ＬＥＤ７を制御するためのドライブＩＣ８をダイボンド、ワイヤボンドする。尚、後述するように、光伝送路をレンズで密閉しない場合は、前記ＬＥＤ７とワイヤを透光性の封止樹脂９でコーティング又は封止する。
【００２０】
また、ベース基板１６上で反射ミラー１８を挟んで、他方の端部には前記ＬＥＤ７又はＬＤの発光面と受光面を対向させて受光チップを実装する。受光チップとしてフォトダイオード（ＰＤｉ）とＩＣが一体化になって光信号を電気信号に変換する機能を有するＩＣ１２を実装する。前記ＩＣ１２の受光面を垂直に立たせるためにＩＣ１２の裏面に前述したブロック１９をサブマウントする。同時に前記ＩＣ１２をダイボンド、ワイヤボンドする。上記したように、光伝送路をレンズで密閉しない場合は、その上面を透光性の封止樹脂９でコーティング又は封止する。前記送受信デバイス１５の前面と光ファイバ２の端面との間の距離寸法を可能な限り少なく設定する。
【００２１】
また、図３に示すように受・発光デバイスを実装したベース基板１６に、樹脂又は金属部材よりなるカバー２０を接着剤などで接着して送受信デバイス１５を構成する。送受信デバイス１５は、前記カバー２０の前面に形成されている光伝送路２１を透光性部材、例えばプラスチックやガラスなどよりなるレンズ２２で密閉することにより、レンズ２２が防塵・防湿の機能を有するものである。また、前記光伝送路２１が前記光ファイバ２の先端部の位置決めガイドを兼ねるものである。
【００２２】
図３において、ＬＥＤ７の発光面から発光された光は反射ミラー１８によりに反射して方向を変え、カバー２０の前面に形成されている光伝送路２１を通って矢印Ｂ方向に出射される。また、光ファイバから入射された光は反射ミラー１８に反射して矢印Ｃ方向に方向を変え、受光ＩＣ１２の受光面に入光される。
【００２３】
上記した構成により、ベース基板上の略中央部に配設したプリズム状の反射部材が、光の方向を変えると同時に、受・発光部間の光干渉を防ぐ。また、ベース基板に形成されたスルーホール電極が面実装を可能にしリフロー対応が可能になる。更に、発光デバイスと受光デバイスを一体化した送受信デバイスを形成することにより、小型で一芯双方向光伝送デバイスが対応可能になる。
【００２４】
【発明の効果】
以上説明したように、光送信／受信デバイスを一体化すると同時に、プリズム状の反射部材が光の方向を変え、受・発光部間の光干渉を防ぎ光出力を効率良く伝送できる。また、面実装タイプにより、リフロー対応可能にし、小型で安価な一芯双方向光伝送デバイスを提供することができる。
【図面の簡単な説明】
【図１】本発明の実施の形態を係わる一芯双方向光伝送モジュールの要部断面図である。
【図２】図１の送受信デバイスを透視した状態の斜視図である。
【図３】図１の送受信デバイスの断面図である。
【図４】従来の二芯双方向光伝送モジュールの構造を示す要部断面図である。
【図５】図４を矢印Ａ方向から見た説明図である。
【図１】
0004761494.tif 000002
【図２】
0004761494.tif 000003
【図３】
0004761494.tif 000004
【図４】
0004761494.tif 000005
【図５】
0004761494.tif 000006